(57)【要約】      （修正有）【課題】歩行器の移動時においても、この歩行器によって使用者の身体を支持して、使用者の姿勢変化を極力少なくすることの可能な歩行器用補助シートを提供する。【解決手段】使用者Ｗの股間に対峙させられる中央保持部８ａと、中央保持部の前方に連設されて、使用者の股間前方に対峙させられる保持部８ｂと、中央保持部の後方に連設されて、使用者の股間後方に対峙させられる後方保持部８ｃとからなるシート本体と、前方保持部の両側部および後方保持部の両側部に一体に取り付けられて、前方保持部および後方保持部を歩行器の把持枠２に掛け止めされる連結ベルト９とによって構成され、後方保持部に取り付けられた両連結ベルトのそれぞれに余長部９ｃを設け、これらの余長部に、余長部を相互に連結する連結手段１４が設けた構成とする。【選択図】図４
2019084363.tif 000002
【特許請求の範囲】
【請求項１】
使用者の腰部周りを取り囲み、前記使用者によって把持される把持枠を備えた歩行器に装着されて、使用者の腰回りを保持する歩行器用補助シートであって、
前記使用者の股間に対峙させられる中央保持部と、
この中央保持部の前方に連設されて、前記使用者の股間前方に対峙させられる前方保持部と、
前記中央保持部の後方に連設されて、前記使用者の股間後方に対峙させられる後方保持部とからなるシート本体と、
前記前方保持部の両側部および前記後方保持部の両側部に一体に取り付けられて、これらの前方保持部および後方保持部を前記歩行器の把持枠に掛け止めされる連結ベルトとによって構成され、
前記後方保持部に取り付けられた前記両連結ベルトのそれぞれに余長部を設け、これらの余長部に、これらの余長部を相互に連結する連結手段が設けられていることを特徴とする歩行器用補助シート。
【請求項２】
前記連結ベルトの一端が、前記把持枠を取り囲むように環状に折曲されるとともに、中央部側において重畳させられ、この重畳部に、その重畳部のずれを防止する係止部材が設けられていることを特徴とする請求項１に記載の歩行器用補助シート。
【請求項３】
前記係止部材が、前記連結ベルトの重畳位置を変化させることにより、前記連結ベルトの長さを調整する長さ調整機能を備えていることを特徴とする請求項１または請求項２に記載の歩行器用補助シート。
【請求項４】
前記連結ベルトの一端部が前記シート本体に一体に連結されているとともに、中間部において折曲され、この折曲部と、この折曲部よりも前記シート本体との連結部側の部位との間に、これらの部位を接離可能に連結するバックルを設け、
前記連結ベルトを、前記把持枠を取り囲んで配置した後に、前記バックルを接続することにより、前記連結ベルトを前記把持枠に取り付けるようになされていることを特徴とする請求項１に記載の歩行器用補助シート。
【請求項５】
前記連結手段が面ファスナーによって構成されていることを特徴とする請求項１ないし請求項４の何れかに記載の歩行器用補助シート。
【請求項６】
前記連結手段がバックルによって構成されていることを特徴とする請求項１ないし請求項４の何れかに記載の歩行器用補助シート。
【発明の詳細な説明】
【技術分野】
【０００１】
本考案は、たとえば、歩行訓練を必要とするリハビリテーション患者や、高齢者等の歩行が困難な人の歩行を補助する歩行器に装着される補助シートに関するものである。
【背景技術】
【０００２】
このような歩行の補助を行う歩行器の一従来例として、たとえば、特許文献１に示されるように、一対の側面フレームと、前記一対の側面フレームの前方に配置され、前記一対の側面フレームが回動可能にそれぞれ連結される前面フレームと、前記一対の側面フレームの個々と、前記前面フレームとを接続する固定部とによって構成したものが知られている。
【０００３】
この技術は、使用者の手によって把持され、歩行時に、４本の支持脚によって使用者の体重を支持することによって、歩行を容易にするようにしたものである。
【先行技術文献】
【特許文献】
【０００４】
【特許文献１】特開２０１２−１０８０１号公報
【発明の概要】
【発明が解決しようとする課題】
【０００５】
前述した従来の技術では、歩行時の脚にかかる体重を軽減して、歩行の補助を行うことができるが、なお、つぎのような解決すべき問題点が残されている。
【０００６】
すなわち、使用者は、歩行に際して、歩行器を間欠的に前方へ移動させる必要があり、移動時には、身体を自身の脚で支えておかなくてはならない。
【０００７】
ここで、歩行器の移動の際に、使用者が姿勢を崩してしまうと、歩行器を円滑に移動させることができず、良好な歩行の補助が損なわれてしまうことが想定される。
【０００８】
本考案は、前述した従来の技術において残されている問題点を解決するために、歩行器の移動時においても、この歩行器によって使用者の身体を支持して、使用者の姿勢変化を極力少なくすることの可能な歩行器用補助シートを提供することを解決課題とする。
【課題を解決するための手段】
【０００９】
本考案は、前述した課題を解決するために、使用者の腰部周りを取り囲み、前記使用者によって把持される把持枠を備えた歩行器に装着されて、使用者の腰回りを保持する歩行器用補助シートであって、前記使用者の股間に対峙させられる中央保持部と、この中央保持部の前方に連設されて、前記使用者の股間前方に対峙させられる前方保持部と、前記中央保持部の後方に連設されて、前記使用者の股間後方に対峙させられる後方保持部とからなるシート本体と、前記前方保持部の両側部および前記後方保持部の両側部に一体に取り付けられて、これらの前方保持部および後方保持部を前記歩行器の把持枠に掛け止めされる連結ベルトとによって構成され、前記後方保持部に取り付けられた前記両連結ベルトのそれぞれに余長部を設け、これらの余長部に、これらの余長部を相互に連結する連結手段が設けられていることを特徴とする。
【００１０】
このような構成とすることにより、前記歩行器が、前記補助シートを介して、前記使用者の股間、股間前方、および、股間後方において対峙させられる。
【００１１】
使用に際して、使用者は、自身の手や腕によって前記把持枠を把持し、体重を前記歩行器に支持させることができる。
これによって、歩行時における脚にかかる体重が軽減されて歩行の補助がなされる。
【００１２】
そして、歩行時には、前記歩行器を前方へ移動させつつ歩行を行うのであるが、その際に、使用者が姿勢を崩してしまうことが想定される。
【００１３】
このような姿勢の崩れは、脚によって体重が支持できないことが多く、その姿勢の崩れは、腰を落とすような崩れとなるが、この腰回りに前記補助シートが対峙されていることから、姿勢を崩した使用者の腰回りが即座に前記補助シートによって保持される。
【００１４】
そして、使用者の体重が補助シートを介して前記歩行器によって支持され、これによって、使用者の姿勢の崩れが大きくなる前に、この使用者の姿勢を安定した状態に保持することができる。
したがって、使用者は、安全に歩行を継続することができる。
【００１５】
さらに、前記後方保持部に取り付けられた前記両連結ベルトのそれぞれに設けられた前記各余剰部を、前記把持枠間に架け渡すように取り回した後に、これらの余剰部を前記連結手段によって連結する。
【００１６】
このように連結された両余長部は、使用者の腰の後方に、この腰を横切るように位置される。
これにより、使用者が、後方へ倒れ込むような動きをした場合、前記余長部により、使用者を後方から支えることができ、より安全な歩行を補助することができる。
【００１７】
そして、前記連結手段は、面ファスナーやバックル等によって構成することができる。
【００１８】
本考案では、前記連結ベルトの一端を、前記把持枠を取り囲むように環状に折曲させるとともに、中央部側において重畳させ、この重畳部に、その重畳部のずれを防止する係止部材を設けることが好ましい。
【００１９】
このような構成とすることにより、前記連結ベルトの一端部を、前記把持枠に巻き付けた後に、前記連結ベルトの一端部を固定することによって、前記補助シートを前記歩行器に容易に装着することができる。
【００２０】
また、前記係止部材に、前記連結ベルトの重畳位置を変化させることにより、前記連結ベルトの長さを調整する長さ調整機能を付与することが好ましい。
【００２１】
このような構成とすることにより、前記歩行器に装着される前記補助シートの装着位置を調整して、この補助シートを使用者の体格に合わせることができる。
【００２２】
さらに、前記連結ベルトの一端部を前記シート本体に一体に連結するとともに、中間部において折曲し、この折曲部と、この折曲部よりも前記シート本体との連結部側の部位との間に、これらの部位を接離可能に連結するバックルを設け、前記連結ベルトを、前記把持枠を取り囲んで配置した後に、前記バックルを接続することにより、前記連結ベルトを前記把持枠に取り付けるようにすることもできる。
【００２３】
このような構成とすることにより、前記バックルを切り離した状態で前記シート本体を使用者の股間に装着した後に、前記各連結ベルトを前記把持枠に、その上方から取り巻くように掛け、ついで、前記バックルを連結することによって、前記連結ベルトの他端部側を前記把持枠に固定することができる。
【００２４】
これによって、前記補助シートの着脱を簡便なものとすることができるとともに、前記補助シートを、使用者が歩行器の間に立った状態で前記歩行器に着脱することができる。
【発明の効果】
【００２５】
本考案によれば、歩行器を用いた歩行を行う使用者の姿勢の崩れを極力防止して、歩行器の歩行補助機能を高めることができる。
【図面の簡単な説明】
【００２６】
【図１】本考案の一実施形態の補助シートが適用された歩行器の側面図である。
【図２】本考案の一実施形態の補助シートを示す展開状態を示す平面図。
【図３】本考案の一実施形態の補助シート示すもので、一部を断面した側面図である。
【図４】本考案の一実施形態の補助シートが適用された歩行器の使用状態を示す側面図である。
【図５】本考案の一実施形態の補助シートが適用された歩行器の使用状態を示す背面図である。
【図６】本考案の他の実施形態を示す、要部を拡大した外観斜視図である。
【発明を実施するための形態】
【００２７】
以下、本考案の一実施形態を、図面を参照して説明する。
図１中、符号１は本実施形態に関わる補助シートを示し、略Ｕ字状の把持枠２を備えた歩行器３に装着されている。
【００２８】
まず、前記歩行器３について説明する。
この歩行器３に設けられた前記把持枠２は、後方（図中の右側）が解放された略Ｕ字状に形成されており、その下部に連結される支持枠体４によって支持されている。
【００２９】
前記支持枠体４は、平面視で前記把持枠２と略同一形状に形成された下部フレーム５と、前記把持枠２と前記下部フレーム５の略中間部間をと両側部とを連結する３個の連結脚６と、前記下部フレーム５の下部に装着された複数のキャスター７とによって構成されている。
【００３０】
前記補助シート１は、後述する使用者Ｗの股間に対峙させられる中央保持部８ａと、この中央保持部の前方に連設されて、前記使用者の股間前方に対峙させられる前方保持部８ｂと、前記中央保持部８ａの後方に連設されて、前記使用者の股間後方に対峙させられる後方保持部８ｃとからなるシート本体８と、前記前方保持部８ｂの両側部および前記後方保持部８ｃの両側部に一体に取り付けられて、これらの前方保持部８ｂおよび後方保持部８ｃを前記歩行器３の把持枠２に掛け止めされる４本の連結ベルト９によって構成されている。
【００３１】
前記連結ベルト９の一端部９ａは、前記把持枠２を取り囲むように環状に折曲されるとともに（図３参照）、中央部側において重畳させられ、この重畳部に、その重畳部のずれを防止する係止部材１０が設けられている。
【００３２】
前記係止部材１０は、３本の平行な係止ロッド１０ａをその両端部で連結した構成となっており、重畳させられた前記連結ベルト９が、前記係止ロッド１０ａ間を交互に挿通させられ、前記連結ベルト９に張力が加わった際に、前記重畳部分が相互に圧接させられてその位置ずれを防止して、前記折曲部の大きさを規制するようになっている。
【００３３】
また、前記係止部材１０は、前記連結ベルト９に作用する張力を緩めた状態において、その重畳部の圧接力を弱め、これによって、前記重畳部の位置調整、すなわち、前記連結ベルト９の折曲された状態における長さの調整を可能にしている。
【００３４】
また、本実施形態においては、前記環状部分に締め付け部材１１が装着されており、この締め付け部材１１は、前記環状部分の空間部を調整するようになされている。
【００３５】
したがって、前記締め付け部材１１の位置を調整することにより、前記環状部分の内側に位置させられている前記把持枠２に前記連結ベルト９を圧接させて固定するようになっている。
【００３６】
さらに、前記後方保持部８ｃに取り付けられた前記両連結ベルト９の一端部９ａには、余長部９ｃが延設されているとともに、これらの余長部９ｃに、これらを相互に連結する連結手段１４が取り付けられている。
【００３７】
これらの余長部９ｃは、それぞれ前記把持枠２の幅とほぼ同等の長さに形成され、前記連結手段１４によって相互に連結された際に、前記把持枠２を横切って位置させられるようになっている。
【００３８】
そして、本実施形態においては、前記連結手段１４を、面ファスナーによって構成した例を示してある。
【００３９】
このように構成された本実施形態に関わる補助シート１は、前記各連結ベルト９の一端部９ａを、図３に示すように、前記係止部材１０および締め付け部材１１に挿通し、ついで、前記把持枠２に巻き付けた後に、再度、前記締め付け部材１１および前記係止部材１０に挿通させて重畳させることにより、前記把持枠２に装着される。
【００４０】
さらに、前記係止部材１０における前記連結ベルト９の重畳位置を調整して、前記シート本体８の位置調整を行い、また、前記締め付け部材１１を前記把持枠２側へ移動させて、前記連結ベルト９によって前記把持枠２を締め付けることにより、図１に示すように、前記シート本体８の装着を完了する。
【００４１】
使用にあたっては、使用者が、前記シート本体８を跨ぐようにして前記歩行器３内に入るか、あるいは、使用者が、前記歩行器３内に入った状態で、前記連結ベルト９を前記把持枠２に固定することにより、使用可能な状態となされる。
【００４２】
この状態において、図４に示すように、前記シート本体８の中央部８ａが使用者の股間に対峙され、また、前記前方保持部８ｂが使用者の股間前方に対峙され、さらに、前記後方保持部８ｃが使用者の股間後方に対峙させられる。
すなわち、使用者の腰回りに前記シート本体８が対峙される。
【００４３】
そして、歩行時には、前記歩行器を前方へ移動させつつ歩行を行うのであるが、その際に、使用者が姿勢を崩してしまうことが想定される。
【００４４】
このような姿勢の崩れは、脚によって体重が支持できないことが多く、その姿勢の崩れは、腰を落とすような崩れとなるが、この腰回りに前記シート本体８が対峙されていることから、この腰回りが即座に前記補助シート１によって保持される。
【００４５】
そして、使用者の体重が補助シートを介して前記歩行器３によって支持され、これによって、使用者の姿勢の崩れが大きくなる前に、この使用者の姿勢を安定した状態に保持することができる。
したがって、使用者は、安全に歩行を継続することができる。
【００４６】
一方、使用者の歩行に際して、使用者の姿勢が後傾することが想定される場合には、前記一対の余長部９ｃを、図５に示すように、前記把持枠２を横切るように引き回し、この把持枠２間において相互に連結する。
【００４７】
このように両余長部９ｃを連結すると、これらの余長部９ｃが、使用者の腰や背の後方を横切るように配置され、これによって、使用者が後傾した場合の背もたれとなり、過度の後傾を防止することができる。
この結果、歩行の安全性をさらに高めることができる。
【００４８】
なお、前記実施形態において示した各構成部材の諸形状や寸法等は一例であって、設計要求等に基づき種々変更可能である。
【００４９】
たとえば、図５に示すように、前記連結ベルト９の一端部を前記シート本体８に一体に連結するとともに、中間部において折曲し、この折曲部と、この折曲部よりも前記シート本体８との連結部側の部位との間に、これらの部位を接離可能に連結するバックル１２を設けた構成とすることができる。
【００５０】
前記バックル１２は、前記連結ベルト９の折曲部よりも前記シート本体８との連結部側の部位との間に、前記連結ベルト９に対して相対移動自在に装着された係止部材１２ａと、前記折曲部に装着され、前記係止部材１２ａに嵌め込まれて係合させられる係合部材１２ｂとによって構成されている。
【００５１】
前記係合部材１２ｂは、その弾性変形可能な一対の係合爪１３を備えており、これらの両係合爪１３を近づけるように弾性変形させた状態で、前記係止部材１２ａ内に嵌合させられ、また、嵌合させられた後に、これらの係合爪１３が離間するように弾性変形させられることにより、前記係止部材１２ａに形成されている係止段部（図示略）へ係合させられるようになっている。
【００５２】
また、前記係合爪１３は、前記係止部材１２ａに係合させられた状態において、前記係止部材１２ａに設けられている孔（図示略）を介して前記係止部材１２ａの外部に露出させられており、この孔を介して、前記両係止爪１３を近付けるように弾性変形させることにより、前記係止段部との係合状態が解除されて、前記係止部材１２ａから離脱させられるようになっている。
【００５３】
このような構成とすることにより、前記連結ベルト９を前記把持枠２の上方に位置させた後、前記係止部材１２ａと前記係合部材１２ｂを、前記把持枠２のそれぞれの側部を通るように加工させ、前記連結ベルト９を前記把持枠２の上部に掛け止めする。
【００５４】
ついで、前記係止部材１２ａに係合部材１２ｂを連結することにより、前記連結ベルト９を、前記把持枠２を取り囲むようにして固定することができる。
【００５５】
そして、前記シート本体８を、使用者の股間にあてがった後に、前述したように前記各連結ベルト９を前記把持枠２に固定することにより、使用者を、前記補助シート１を介して前記歩行器３に支持させることができる。
【００５６】
また、逆の手順によって前記補助シート１を前記歩行器３および使用者から取り外すことができる。
【００５７】
したがって、使用者は、前記歩行器３の内側に立ったまま、この歩行器３への支持とその解除を行なうことができ、極めて簡便な操作性を確保することができる。
【００５８】
さらに、前記実施形態においては、前記連結手段１４に面ファスナーを用いた例について示したが、これに代えてバックルを用いることもできる。
【符号の説明】
【００５９】
１  補助シート
２  把持枠
３  歩行器
４  支持枠体
５  下部フレーム
６  連結脚
７  キャスター
８  シート本体
８ａ  中央保持部
８ｂ  前方保持部
８ｃ  後方保持部
９  連結ベルト
９ａ  一端部
９ｃ  余長部
１０  係止部材
１０ａ  係止ロッド
１１  締め付け部材
１２  バックル
１２ａ  係止部材
１２ｂ  係合部材
１３  係合爪
１４  連結手段
Ｗ  使用者
【図１】
2019084363.tif 000003
【図２】
2019084363.tif 000004
【図３】
2019084363.tif 000005
【図４】
2019084363.tif 000006
【図５】
2019084363.tif 000007
【図６】
2019084363.tif 000008